(57)【要約】【課題】放射線検出器のＸ線画像取得シーケンスを同期させる方法およびシステムを提供する。【解決手段】デジタルＸ線検出器（２２）が提供される。デジタルＸ線検出器（２２）は、制御回路（３６）を含む。制御回路（３６）は、電磁干渉（ＥＭＩ）信号のＥＭＩ周波数を得て、スキャンを開始するための信号を受信し、ＥＭＩノイズがオフセット画像および読み取り画像の取得中に同じ位相にあることを確認してＥＭＩノイズの減算を可能にし、スキャンを開始するように構成される。【選択図】図７
2020169979.tif 000002
【特許請求の範囲】
【請求項１】
電磁干渉（ＥＭＩ）信号のＥＭＩ周波数を得て、
スキャンを開始するための信号を受信し、
ＥＭＩノイズがオフセット画像および読み取り画像の取得中に同じ位相にあることを確認して前記ＥＭＩノイズの減算を可能にし、
前記スキャンを開始する
ように構成された制御回路（３６）
を備える、デジタルＸ線検出器（２２）。
【請求項２】
前記スキャンは、検出器回路をリセットするためのスクラブ（９２、９５）、またはＸ線画像データを取得するための読み取り（９４、９８）を含む、請求項１に記載のデジタルＸ線検出器（２２）。
【請求項３】
前記制御回路（３６）は、前記スキャンの開始時間が前記ＥＭＩ信号の周期の倍数になるように前記ＥＭＩ周波数に基づいて前記スキャンを同期させることによって、前記ＥＭＩノイズが前記オフセット画像および前記読み取り画像の取得中に前記同じ位相にあることを確認するように構成される、請求項１に記載のデジタルＸ線検出器（２２）。
【請求項４】
前記制御回路（３６）は、前記ＥＭＩ周波数のユーザ入力を受信することを介して前記ＥＭＩ周波数を得るように構成される、請求項１に記載のデジタルＸ線検出器（２２）。
【請求項５】
前記制御回路（３６）は、前記デジタルＸ線検出器（２２）によって取得された１つまたは複数のオフセットスキャンから前記ＥＭＩ周波数を計算することによって前記ＥＭＩ周波数を得るように構成される、請求項１に記載のデジタルＸ線検出器（２２）。
【請求項６】
前記制御回路（３６）は、前記１つまたは複数のオフセットスキャンからデータを抽出することによって前記ＥＭＩ周波数を計算し、前記データを表す信号に対して高速フーリエ変換を実施し、所定の周波数範囲内の前記信号の離散フーリエ変換（ＤＦＴ）の周波数が定義された周波数閾値よりも大きいかどうかを決定するように構成される、請求項５に記載のデジタルＸ線検出器（２２）。
【請求項７】
前記制御回路（３６）は、前記ＤＦＴの前記周波数が前記定義された周波数閾値よりも大きいときに前記ＥＭＩ周波数を前記ＤＦＴの前記周波数として設定し、前記ＤＦＴの前記周波数が前記定義された周波数閾値よりも大きくないときに前記ＥＭＩ周波数をゼロとして設定するように構成される、請求項６に記載のデジタルＸ線検出器（２２）。
【請求項８】
前記制御回路（３６）は、前記１つまたは複数のオフセットスキャンからデータを抽出することによって前記ＥＭＩ周波数を計算し、前記データを表す信号に対して高速フーリエ変換を実施し、前記信号の前記離散フーリエ変換（ＤＦＴ）の周波数が特定のＥＭＩ周波数に等しいかどうかを決定するように構成される、請求項５に記載のデジタルＸ線検出器（２２）。
【請求項９】
前記制御回路（３６）は、前記ＤＦＴの前記周波数が前記特定のＥＭＩ周波数に等しいときに前記ＥＭＩ周波数を前記ＤＦＴの前記周波数として設定し、前記ＤＦＴの前記周波数が前記特定のＥＭＩ周波数に等しくないときに前記ＥＭＩ周波数をゼロとして設定するように構成される、請求項８に記載のデジタルＸ線検出器（２２）。
【請求項１０】
前記制御回路（３６）は、複数のＥＭＩ信号のそれぞれのＥＭＩ周波数を得て、前記スキャンの開始時間が前記複数のＥＭＩ信号の各それぞれの周期の倍数になるように前記それぞれのＥＭＩ周波数に基づいて前記スキャンを同期させるように構成される、請求項１に記載のデジタルＸ線検出器（２２）。
【請求項１１】
デジタルＸ線検出器（２２）を利用して、
電磁干渉（ＥＭＩ）信号のＥＭＩ周波数を得て（１３４）、
スキャンを開始するための信号を受信し（１３８）、
ＥＭＩノイズがオフセット画像および読み取り画像の取得中に同じ位相にあることを確認して前記ＥＭＩノイズの減算を可能にし、
前記スキャンを開始する（１４２）
ことを含む、Ｘ線撮像方法（１１８、１３０、１４４）。
【請求項１２】
前記スキャンは、検出器回路をリセットするためのスクラブ（９２、９５）、またはＸ線画像データを取得するための読み取り（９４、９８）を含む、請求項１１に記載の方法（１１８、１３０、１４４）。
【請求項１３】
前記ＥＭＩノイズが前記オフセット画像および前記読み取り画像の取得中に前記同じ位相にあることを確認することは、前記スキャンの開始時間が前記ＥＭＩ信号の周期の倍数になるように前記ＥＭＩ周波数に基づいて前記スキャンを同期させること（１２２）を含む、請求項１１に記載の方法（１１８、１３０、１４４）。
【請求項１４】
前記ＥＭＩ信号の前記ＥＭＩ周波数を得ることは、前記ＥＭＩ周波数のユーザ入力を受信すること（１３６）を含む、請求項１１に記載の方法（１１８、１３０、１４４）。
【請求項１５】
前記ＥＭＩ信号の前記ＥＭＩ周波数を得ることは、前記デジタルＸ線検出器（２２）によって取得された１つまたは複数のオフセットスキャンから前記ＥＭＩ周波数を計算すること（１３２）を含む、請求項１１に記載の方法（１１８、１３０、１４４）。
【発明の詳細な説明】
【技術分野】
【０００１】
本明細書で開示される主題は、一般に、デジタルＸ線撮像システムに関し、より具体的には、そのようなシステムでの画像取得中の電磁干渉（ＥＭＩ）の影響を軽減するための技法に関する。
【背景技術】
【０００２】
様々な設計の多数の放射線および蛍光透視撮像システムが知られており、現在使用されている。そのようなシステムは、一般に、関心のある対象に向けられるＸ線の生成に基づいている。Ｘ線は、対象を横断し、デジタル検出器またはイメージインテンシファイアに衝突する。例えば、医療の場面では、そのようなシステムを使用して内部の骨、組織、および臓器を視覚化し、患者の病気を診断および治療することができる。他の場面では、部品、手荷物、小包、および他の対象を撮像し、その内容を評価することができる。加えて、放射線および蛍光透視撮像システムを使用して、オブジェクトの構造的完全性を識別したり、他の目的に使用することができる。
【０００３】
このようなＸ線システムは、対象の介在構造によって減衰、散乱、または吸収されるＸ線を検出するために、ソリッドステート検出器などのデジタル回路を使用することが増えている。そのようなＸ線システムを介して取得された生の画像データは、未補正のままにすると生の画像データに基づく再構成画像に視覚的アーチファクトをもたらす可能性がある、多数のアーチファクトまたは他の望ましくない要素を含み得ることが理解されよう。次に、これらの視覚的アーチファクトは、ユーザまたはコンピュータが画像の細部を認識する能力に悪影響を与える可能性がある。一部のアーチファクトは、撮像環境に電磁干渉（ＥＭＩ）が存在することが原因であり得る。ＥＭＩ源は、例えば、Ｘ線撮像システムの近傍で利用され得る様々な電気および電子構成要素を含む場合がある。したがって、画像取得中のＥＭＩの影響を軽減するための改善されたアプローチが必要である。
【先行技術文献】
【特許文献】
【０００４】
【特許文献１】米国特許出願公開第２００９／０２９０６８６号明細書
【発明の概要】
【０００５】
最初に特許請求する主題の範囲に相応するある特定の実施形態を、以下に要約する。これらの実施形態は特許請求する主題の範囲を限定しようとするものではなく、むしろ、これらの実施形態は主題の可能性がある形式の概要を提供しようとするものにすぎない。実際、本主題は、以下に記載する実施形態に類似してもよく、または異なってもよい様々な形式を包含することができる。
【０００６】
一実施形態によれば、デジタルＸ線検出器が提供される。デジタルＸ線検出器は、制御回路を含む。制御回路は、電磁干渉（ＥＭＩ）信号のＥＭＩ周波数を得て、スキャンを開始するための信号を受信し、ＥＭＩノイズがオフセット画像および読み取り画像の取得中に同じ位相にあることを確認してＥＭＩノイズの減算を可能にし、スキャンを開始するように構成される。
【０００７】
別の実施形態によれば、Ｘ線撮像方法が提供される。方法は、デジタルＸ線検出器を利用して、電磁干渉（ＥＭＩ）信号のＥＭＩ周波数を得て、スキャンを開始するための信号を受信し、ＥＭＩノイズがオフセット画像および読み取り画像の取得中に同じ位相にあることを確認してＥＭＩノイズの減算を可能にし、スキャンを開始することを含む。
【０００８】
さらなる実施形態によれば、撮像システムが提供される。撮像システムは、Ｘ線源と、デジタルＸ線検出器とを含む。撮像システムはまた、デジタルＸ線検出器を介して、電磁干渉（ＥＭＩ）信号のＥＭＩ周波数を得て、スキャンを開始するための信号を受信し、ＥＭＩノイズがオフセット画像および読み取り画像の取得中に同じ位相にあることを確認してＥＭＩノイズの減算を可能にし、スキャンを開始するように構成された制御回路を含む。
【０００９】
開示される主題のこれらおよび他の特徴、態様、および利点は、添付の図面を参照しながら以下の詳細な説明を読解すればより良好に理解され、添付の図面においては、図面全体を通して同一の符号は同一の部分を表している。
【図面の簡単な説明】
【００１０】
【図１】本技法が利用され得るデジタルＸ線撮像システムの概要である。
【図２】再構成のための画像データを生成する、図１のシステムの検出器における機能回路の概要図である。
【図３】一実施形態による、本明細書で説明される機能性を実装するように構成され得るプロセッサベースのデバイスまたはシステムのブロック図である。
【図４】画像データとオフセットデータの両方が電磁干渉（ＥＭＩ）アーチファクトの補正のために取得される取得シーケンスの一部の概要図である。
【図５】検出器信号に重ね合わされた低周波磁場のグラフ図である。
【図６】画像データのＥＭＩアーチファクトを補正するための方法の一実施形態のフローチャートである。
【図７】画像取得シーケンスを同期させるための方法の一実施形態のフローチャートである。
【図８】ＥＭＩ信号の周波数を決定するための方法の一実施形態のフローチャートである。
【図９】行相関ノイズに対するＥＭＩ信号への画像取得の同期の影響を示す概略図である。
【発明を実施するための形態】
【００１１】
１つまたは複数の具体的な実施形態を、以下に記載する。これらの実施形態の簡潔な説明を提供しようと努力しても、実際の実施態様におけるすべての特徴を本明細書に記載できるわけではない。エンジニアリングまたは設計プロジェクトなどの実際の実施態様の開発においては、開発者の特定の目的を達成するために、例えばシステム関連および事業関連の制約条件への対応など実施態様に特有の決定を数多くしなければならないし、また、これらの制約条件は実施態様ごとに異なる可能性があることを理解されたい。さらに、このような開発努力は、複雑で時間がかかるが、それでもなお本開示の利益を有する当業者にとっては、設計、製作、および製造の日常的な仕事であることを理解されたい。
【００１２】
本主題の様々な実施形態の要素を紹介するとき、「１つの（ａ、ａｎ）」、「この（ｔｈｅ）」、および「前記（ｓａｉｄ）」という冠詞は、それらの要素が１つまたは複数存在することを意味するものである。「備える（ｃｏｍｐｒｉｓｉｎｇ）」、「含む（ｉｎｃｌｕｄｉｎｇ）」、および「有する（ｈａｖｉｎｇ）」という用語は、包括的であることを意図し、列挙された要素以外にもさらなる要素が存在してもよいことを意味する。さらに、以下の説明におけるあらゆる数値例は非限定的なものであることを意図し、したがって追加の数値、範囲、および百分率は開示される実施形態の範囲内にあるものとする。
【００１３】
本開示は、時間依存ノイズ（例えば、サンプリングの方向に生じる行相関ノイズ）が低周波ＥＭＩ（例えば、６０ヘルツ（Ｈｚ）以下）などの電磁干渉（ＥＭＩ）のために存在する放射線検出器のＸ線画像取得シーケンスを同期させる方法およびシステムを提供する。以下で説明される技法は、ＥＭＩ信号の周期の倍数である特定の期間に行われるように検出器のスキャンを同期させることができる。スキャンは、読み取りもしくは読み出し（検出器パネルをスキャンし、Ｘ線画像データなどの検出器データを取得する）またはスクラブ（検出器パネルをスキャンして検出器回路をリセットするが、データを読み取らない）を含み得る。ある特定の実施形態では、ＥＭＩ周波数は、オフセットデータまたは暗画像（すなわち、放射線がない状態で収集された検出器データ）から決定され得る。オフセットデータを利用してＸ線画像データを補正し、時間依存ノイズのキャンセルによりＥＭＩアーチファクトが最小化された補正Ｘ線画像を生成することができる。ＥＭＩ軽減技法は、すべての配向（Ｘ、Ｙ、およびＺ軸）で利用されてもよい。以下で説明する技法は、コンピュータ断層撮影（ＣＴ）システム、蛍光透視撮像システム、マンモグラフィシステム、トモシンセシス撮像システム、従来の放射線撮像システムなど、様々な放射線撮像システムで利用することができる。しかしながら、説明される技法は、医療以外の場面（セキュリティおよびスクリーニングシステム、ならびに非破壊検出システムなど）でも使用することができることを理解されたい。
【００１４】
ここで図面を参照すると、図１は、個別のピクセル画像データを取得および処理するための撮像システム１０を概要的に示している。図示する実施形態では、システム１０は、本技法に従って元の画像データを取得するため、および表示のために画像データを処理するための両方に設計されたデジタルＸ線システムである。撮像システム１０は、固定Ｘ線撮像室に配置された静止システムまたは移動式Ｘ線システムとすることができる。図１に示される実施形態では、撮像システム１０は、コリメータ１４に隣接して位置決めされたＸ線放射線源１２を含む。コリメータ１４は、放射線の流れ１６が、人間の患者１８などの対象が位置決めされる領域に通過することを可能にする。放射線の一部２０は、対象を通過するかまたはその周囲を通過し、参照番号２２で一般的に表されるデジタルＸ線検出器に衝突する。検出器２２は、可搬式であってもよいし、またはシステム１０に恒久的に装着されてもよい。ある特定の実施形態では、検出器２２は、その表面に入射するＸ線光子を低エネルギー光子に変換し、続いて電気信号に変換することができ、信号は取得および処理されて対象内の特徴の画像を再構成する。直接変換の実装など、他の実施形態では、入射放射線自体は、中間変換プロセスなしで測定されてもよい。
【００１５】
線源１２は、電源／制御回路２４によって制御され、電源／制御回路２４は、検査シーケンスのための電力と制御信号の両方を供給する。さらに、検出器２２は、検出器２２で生成された信号の取得を命令する検出器コントローラ２６に結合される。検出器コントローラ２６はまた、ダイナミックレンジの初期調整、デジタル画像データのインターリーブなどのための、様々な信号処理およびフィルタリング機能を実行することができる。電源／制御回路２４と検出器コントローラ２６の両方は、システムコントローラ２８からの信号に応答する。一般に、システムコントローラ２８は、検査プロトコルを実行し、取得された画像データを処理するように撮像システムの動作を命令する。本文脈において、システムコントローラ２８はまた、典型的には汎用または特定用途向けデジタルコンピュータに基づく信号処理回路と、様々な機能性（例えば、ＥＭＩ生成アーチファクトを除去するためのオフセット補正）を実行するためにコンピュータのプロセッサによって実行されるプログラムおよびルーチンを記憶し、構成パラメータおよび画像データ、インターフェースプロトコルなどを記憶するための光学メモリデバイス、磁気メモリデバイス、またはソリッドステートメモリデバイスなどの関連製品とを含む。一実施形態では、汎用または特定用途のコンピュータシステムには、本明細書で説明される電源／制御回路２４、検出器コントローラ２６、および／またはシステムコントローラ２８の１つまたは複数に属する機能を実施するためのハードウェア、回路、ファームウェア、および／またはソフトウェアを設けることができる。
【００１６】
図１に示される実施形態では、システムコントローラ２８は、参照番号３０で示すディスプレイまたはプリンタなどの少なくとも１つの出力デバイスにリンクされている。出力デバイスは、標準または特定用途のコンピュータモニタおよび関連する処理回路を含むことができる。１つまたは複数のオペレータワークステーション３２は、システムパラメータを出力すること、検査を要求すること、画像を閲覧することなどのために、システムにさらにリンクすることができる。一般に、ディスプレイ、プリンタ、ワークステーション、およびシステム内で供給される同様のデバイスは、データ取得構成要素の場所にあってもよいし、あるいは、施設もしくは病院内の他の場所、またはまったく異なる場所など、これらの構成要素から離れた、１つまたは複数の構成可能なネットワーク、例えばインターネット、バーチャルプライベートネットワークなどを介して画像取得システムにリンクされた場所にあってもよい。
【００１７】
図２は、デジタル検出器２２の機能構成要素の概要図である。図２はまた、典型的には検出器コントローラ２６内に構成される撮像検出器コントローラまたはＩＤＣ３４を表す。ＩＤＣ３４は、ＣＰＵまたはデジタル信号プロセッサ、ならびに検出器からの検知信号の取得を命令するためのメモリ回路を含む。一実施態様では、ＩＤＣ３４は、双方向光ファイバ導体を介して検出器２２内の検出器制御回路３６に結合される。ある特定の現在企図されている実施形態では、イーサネット通信プロトコル、ならびに無線通信デバイスおよびプロトコルなど、他の通信システムおよび技術を使用することができる。それにより、ＩＤＣ３４は、動作中に検出器内の画像データのコマンド信号を交換する。
【００１８】
検出器制御回路３６は、参照番号３８で一般的に表される電力源からＤＣ電力を受信する。検出器制御回路３６は、システムの動作のデータ取得段階中に画像データを取得するために使用される行および列の電子回路のタイミングおよび制御コマンドを発信するように構成される。したがって、回路３６は、電力および制御信号を基準／調整器回路４０に送信し、回路４０からデジタル画像ピクセルデータを受信する。
【００１９】
本実施形態では、検出器２２は、検査中に検出器表面で受け取られたＸ線光子をより低いエネルギー（光）光子に変換するシンチレータからなる。次に、光検出器のアレイは、光の光子を、光子の数または検出器表面の個々のピクセル領域に衝突する放射線の強度を表す電気信号に変換する。ある特定の現在企図されている実施形態では、Ｘ線光子は、電気信号に直接変換されてもよい。読み出し電子回路は、得られたアナログ信号を、画像の再構成後にディスプレイ３０またはワークステーション３２などで処理、記憶、および表示することができるデジタル値に変換する。現在の形式では、光検出器のアレイは、アモルファスケイ素で形成されている。アレイ要素は、行と列で構成され、各要素は、フォトダイオードと薄膜トランジスタからなる。各ダイオードのカソードは、トランジスタのソースに接続され、すべてのダイオードのアノードは、負のバイアス電圧に接続される。以下で説明するように、各行のトランジスタのゲートは、互いに接続され、行電極は、スキャン電子回路に接続される。列のトランジスタのドレインは、互いに接続され、各列の電極は、読み出し電子回路の個々のデータチャネルに接続される。
【００２０】
一例として、図２に示される特定の実施形態では、行バス４２は、検出器２２の様々な行からの読み出しを可能にし、かつ行を無効にし、必要に応じて選択された行に電荷補償電圧を適用するための複数の導体を含む。列バス４４は、行が順次有効にされている間に列からの読み出しを命令するための追加の導体を含む。行バス４２は、一連の行ドライバ４６に結合され、行ドライバ４６の各々は、検出器内の一連の行の有効化を命令する。同様に、読み出し電子回路４８は、検出器のすべての列の読み出しを命令するために列バス４４に結合される。
【００２１】
図示する実施形態では、行ドライバ４６および読み出し電子回路４８は、複数のセクション５２に細分され得る、検出器パネル５０に結合される。各セクション５２は、行ドライバ４６の１つに結合され、多数の行を含む。同様に、各列ドライバ４８は、一連の列に結合される。上述のフォトダイオードとトランジスタの配置により、行５６および列５８に配置された一連のピクセルまたは個別の絵素５４を定義する。行および列は、高さ６２および幅６４を有する、画像マトリックス６０を定義する。
【００２２】
また図２に示されるように、各ピクセル５４は、一般に、行と列の交差部で定義され、ここでは列電極（またはデータライン）６８は、行電極（またはスキャンライン）７０と交差する。上述のように、薄膜トランジスタ７２は、フォトダイオード７４と同様に、各ピクセルの各交差場所に設けられる。各行が行ドライバ４６によって有効にされると、各フォトダイオード７４からの信号は、読み出し電子回路４８を介してアクセスされ、その後の処理および画像再構成のためにデジタル信号に変換され得る。したがって、アレイ内のピクセルの行全体は、その行のピクセルのすべてのトランジスタのゲートに取り付けられたスキャンライン７０がアクティブ化されるときに同時に制御される。その結果、その特定の行のピクセルの各々は、スイッチを通してデータライン６８に接続され、これはフォトダイオード７４に電荷を回復し、照射に起因する電荷枯渇の量を測定するために読み出し電子回路によって使用される。
【００２３】
ある特定のシステムでは、電荷が関連する専用読み出しチャネルの各々によって同時に行のすべてのピクセルに回復されるため、読み出し電子回路は、前の行の測定値をアナログ電圧からデジタル値に変換していることに留意されたい。さらに、読み出し電子回路は、取得サブシステムの前の行からデジタル値を転送する場合があり、診断画像をモニタに表示したり、またはフィルムに書き込む前にいくつかの処理を実施する。少なくともいくつかの実施形態では、デジタル検出器２２は、デジタル検出器自体内の検出器パネル５０を介して取得されたデータのいくつかのローカル処理を実施するように構成されたデータ処理回路６６を含むことができる。例えば、以下でより詳細に説明されるように、デジタル検出器２２は、ＥＭＩ信号の周期の倍数としてスキャン（例えば、スクラブおよび／または読み取り）の同期を実施し、システムコントローラ２８などのホスト処理システムとは無関係に取得されたデータへのオフセット補正（例えば、行相関ノイズなどのＥＭＩ生成ノイズを低減する）を実施するように構成され得る。加えて、一実施形態では、デジタル検出器２２は、システム１０の他の構成要素にデータを出力する前に、取得されたデータにそのような補正を適用する。
【００２４】
行を有効にするために使用される回路は、本文脈では、そのような有効化（行の駆動）のための電界効果トランジスタ（ＦＥＴ）の使用に基づく行有効または電界効果トランジスタ回路と呼ばれ得る。上述の行有効回路に関連付けられたＦＥＴは、行を有効にするために「オン」または導通状態になり、行の読み出しが有効ではないときに「オフ」にされるかまたは非導通状態になる。それにもかかわらず、行ドライバおよび列読み出し電子回路に使用される特定の回路構成要素は変化する場合があり、本発明は、ＦＥＴまたは任意の特定の回路構成要素の使用に限定されないことに留意されたい。
【００２５】
本明細書で説明される画像データ補正を含む様々な機能性は、一実施形態に従って図３に一般的に図示されるプロセッサベースのシステム７６によって、またはそれと組み合わせて実施され得る。例えば、本明細書で説明される様々なコントローラおよび回路は、現在示されているようなプロセッサベースのシステムを含むか、またはそこに部分的もしくは全体的に具体化されてもよい。プロセッサベースのシステム７６は、本明細書で説明される機能性の全部または一部を実装するソフトウェアを含む様々なソフトウェアを実行するように構成された、パーソナルコンピュータなどの汎用コンピュータであり得る。あるいは、他の実施形態では、プロセッサベースのシステム７６は、とりわけ、分散コンピューティングシステム、またはシステムの一部として提供される専用のソフトウェアおよび／もしくはハードウェアに基づいて現在説明されている機能性の全部または一部を実装するように構成された特定用途向けコンピュータもしくはワークステーションを含み得る。さらに、プロセッサベースのシステム７６は、現在開示されている機能性の実装を容易にするために、単一のプロセッサまたは複数のプロセッサのいずれかを含むことができる。
【００２６】
一実施形態では、例示的なプロセッサベースのシステム７６は、システム７６の様々なルーチンおよび処理機能を実行する中央処理装置（ＣＰＵ）などのマイクロコントローラまたはマイクロプロセッサ７８を含む。例えば、マイクロプロセッサ７８は、様々なオペレーティングシステム命令、ならびにメモリ８０（例えば、パーソナルコンピュータのランダムアクセスメモリ（ＲＡＭ））または１つまたは複数の大容量記憶デバイス８２（例えば、内部もしくは外部ハードドライブ、ソリッドステート記憶デバイス、または別の記憶デバイス）など、１つまたは複数のコンピュータ可読媒体（ソフトウェアルーチンを少なくとも集合的に記憶する）を含む製品に記憶されたまたは製品によって提供されるある特定のプロセスをもたらすように構成されたソフトウェアルーチンを実行することができる。加えて、マイクロプロセッサ７８は、コンピュータベースの実装において本明細書で説明される本主題の一部として提供されるデータなど、様々なルーチンまたはソフトウェアプログラムの入力として提供されるデータを処理する。
【００２７】
そのようなデータは、メモリ８０または大容量記憶デバイス８２に記憶されるか、またはそれらによって提供されてもよい。あるいは、そのようなデータは、１つまたは複数の入力デバイス８４を介してマイクロプロセッサ７８に提供されてもよい。入力デバイス８４は、キーボード、マウスなどの手動入力デバイスを含むことができる。加えて、入力デバイス８４は、有線もしくは無線イーサネットカード、無線ネットワークアダプタなどのネットワークデバイス、またはローカルエリアネットワークもしくはインターネットなど、任意の適切な通信ネットワークを介した他のデバイスとの通信を促進するように構成された様々なポートもしくはデバイスのいずれかを含んでもよい。そのようなネットワークデバイスを介して、システム７６は、システム７６に近接しているかまたは遠隔であるかにかかわらず、他のネットワーク化された電子システムとデータを交換し、通信することができる。
【００２８】
１つまたは複数の記憶されたルーチンに従ってデータを処理することによって得られた結果など、マイクロプロセッサ７８によって生成された結果は、ディスプレイ８６および／またはプリンタ８８などの１つまたは複数の出力デバイスを介してオペレータに提供され得る。表示またはプリントされた出力に基づいて、オペレータは、追加もしくは代替の処理を要求したり、または入力デバイス８４などを介して追加もしくは代替のデータを提供することができる。プロセッサベースのシステム７６の様々な構成要素間の通信は、典型的には、チップセット、およびシステム７６の構成要素を電気的に接続する１つまたは複数のバスまたは相互接続を介して達成することができる。一実施形態では、例示的なプロセッサベースのシステム７６は、とりわけ、画像データを受信し、オフセットデータを受信し、オフセットデータを介して画像データにオフセット補正を適用し、補正画像データを出力するように構成され得る。
【００２９】
図４は、以下で説明される技法によるＥＭＩアーチファクトの画像データの補正を可能にするように設計された画像データ取得プロトコルのタイムラインを表す。参照番号９０によって一般的に指定されるタイムラインは、スクラブおよびデータ読み出し動作のための様々なスキャンを実施する検出器の周期を含み得る。当業者には理解されるように、検出器のフォトダイオードの必然的な電荷損失を考慮して、Ｘ線源のアクティブ化の前のフレーム９４およびＸ線源のアクティブ化の後のフレーム９５によって示すように、スクラブ動作によって周期的にフォトダイオードを再充電することが有用であり得る。基本的に、このような動作は、ＦＥＴ閾値電圧を安定化するが、データの読み出しは行わない。Ｘ線源がアクティブ化される前に、検出器の読み出し（フレーム９４によって示すように）により、オフセット画像または暗画像（すなわち、検出器が線源からの放射線に曝されていないときに取得された画像）の取得が可能になる。図示されているように、Ｘ線源のアクティブ化の前の単一の読み出しのみが図示されている。ある特定の実施形態では、複数のオフセット画像（例えば、２、３、４つなど）は、Ｘ線源のアクティブ化の前に取得され得る。このようなＥＭＩが存在するとき、読み出されるオフセットデータもＥＭＩによる影響を同様に受ける場合がある。以下でより詳細に説明するように、１つまたは複数のＥＭＩ信号のそれぞれの周波数（例えば、５０Ｈｚ、６０Ｈｚなど）は、１つまたは複数のオフセット画像から決定され得る。データ取得プロトコルのある時点で、Ｘ線源がアクティブ化され（例えば、矢印９６によって示すように）、それにより受容周期中にＸ線放射線が検出器に衝突する。Ｘ線放射線は、シンチレータ上の場所で受け取られたＸ線放射線の量に対応する各ピクセル場所における光検出器の電荷を枯渇させる。Ｘ線受容周期の後、フレーム９８によって示すように１つまたは複数のデータ読み出しが行われる。これらの読み出し９８は、ＥＭＩがシステムに存在するとき、ＥＭＩによる影響を受けるＸ線画像データの読み出しも含み得る。以下でより詳細に説明するように、ＥＭＩの周波数は、Ｘ線源のアクティブ化に続いて行われるスキャン（例えば、Ｘ線画像スキャン９８、スクラブ９２）を同期させる際に利用され得る。特に、これらのスキャンは、検出器ハードウェア（例えば、ＦＰＧＡ）のマスタクロックに同期して、各スキャンがＥＭＩ信号の周期（すなわち、単一のサイクルを完了する時間の量）の倍数で開始されるようにすることができる。ある特定の実施形態では、複数の低周波（例えば、６０Ｈｚ以下）ＥＭＩ信号が存在するとき、スキャンは、各スキャンが複数のＥＭＩ信号の各それぞれの周期の倍数で開始されるように同期され得る。１つのスキャンまたはフレームの終了から次のスキャンまたはフレーム時間の終了までの合計時間１００がＥＭＩの周波数と同期されると、（例えば、ＥＭＩによる）行相関ノイズが最小化される。合計時間１００は、フレーム時間１０２（例えば、スキャンの持続時間）およびフレーム間の時間（ＴＢＦ）またはスキャン１０４に等しい。上記で取得された１つまたは複数のオフセット画像を同期スキャン中にＸ線画像データを補正する際に利用して、ＥＭＩアーチファクトを除去することができる。
【００３０】
図５は、検出器信号に重ね合わされた低周波磁場のグラフ図１０６（例えば、オシロスコープから）である。グラフ１０６は、時間を表すＸ軸１０８と、電圧を表すＹ軸１１０とを含む。図示されているように、低周波磁場（例えば、６０Ｈｚ）の信号１１２は、検出器信号１１４に重ね合わされている。検出器信号１１４は、スクラブ（Ｓ）および読み出し（Ｒ）周期を含む。図示されているように、磁場シグネチャは、スクラブまたは読み出し周期である多数の周期１１６を通過する。以下でより詳細に説明するように、生成されたＸ線画像におけるＥＭＩアーチファクトを最小化するために、信号１１２の周期の倍数に対するスクラブ（すなわち、スクラブおよび／または読み出し）の同期が利用され得る。
【００３１】
図６は、画像データのＥＭＩアーチファクトを補正するための方法１１８の一実施形態のフローチャートである。ステップの１つまたは複数は、デジタルＸ線検出器２２、撮像システム１０の別の構成要素（例えば、システムコントローラ２８）、または遠隔処理デバイスの制御／処理回路によって実施され得る。方法１１８は、オフセットまたは暗画像を取得する前に、オフセットスキャンを１つまたは複数の低周波ＥＭＩ信号と同期させることを含む（ブロック１１９）。方法１１８は、１つまたは複数のオフセットまたは暗画像（すなわち、放射線がない状態で収集された検出器データ）を取得することを含む（ブロック１２０）。以下でより詳細に説明するように、オフセット画像は、１つまたは複数の低周波ＥＭＩ信号のそれぞれの周波数を決定する際に利用され得る。方法１１８はまた、Ｘ線画像取得が始まると、スキャン（例えば、スクラブおよび／または読み出し）を１つまたは複数のＥＭＩ信号と同期させることを含む（ブロック１２２）。方法１１８は、Ｘ線露光を開始することをさらに含む（ブロック１２４）。Ｘ線露光の始まりに続いて、方法１１８は、同期画像取得シーケンス中、検出器２２を介してＸ線画像データを取得することを含む（ブロック１２６）。方法１１８は、Ｘ線画像データを１つまたは複数の取得されたオフセット画像で補正し、ＥＭＩアーチファクトが補正された再構成画像を生成することをさらに含む（ブロック１２８）。例えば、画像データの各ピクセルは、そのピクセルから減算されたピクセルのそれぞれのオフセットデータを有し得る。ある特定の実施形態では、補正に利用されるオフセットデータは、単一のスキャンまたは複数のスキャンの平均（例えば、４つのオフセットスキャン）からのものであり得る。画像取得シーケンスの同期により、時間依存ノイズをキャンセルすることができるため、行相関ノイズを最小化することが可能である。
【００３２】
図７は、画像取得シーケンスを同期させるための方法１３０の一実施形態のフローチャートである（例えば、方法１１８のブロック１２２）。方法１３０は、デジタルＸ線検出器２２の制御／処理回路によって実施され得る。ある特定の実施形態では、方法１３０は、Ｘ線露光の前に取得されたオフセットデータからＥＭＩ周波数を計算することを含む（ブロック１３２）。ある特定の実施形態では、２つ以上のＥＭＩ周波数を複数の低周波ＥＭＩ信号の存在下で計算することができる。ＥＭＩ周波数を計算することにより、検出器２２は自動検出を実施して低周波ＥＭＩ信号（例えば、６０Ｈｚ以下）の存在を決定することが可能になる。スキャンの典型的な読み取り時間は１００〜３００ミリ秒（ｍｓ）の範囲であるため、低周波ＥＭＩ信号は、画像分析技法（以下で説明する高速フーリエ変換（ＦＦＴ）など）を介して抽出することができる。ある特定の実施形態では、自動検出がない場合、同期に利用される周波数は、電力ラインにリンクされていない他の低周波ＥＭＩ源を無視しながら、デフォルトで典型的な電力ライン周波数（例えば、５０Ｈｚ、６０Ｈｚ、またはその組み合わせ）になり得る（ブロック１３４）。ある特定の実施形態では、方法１３０は、ＥＭＩ周波数の入力（例えば、ユーザ入力）を受信することを含む（ブロック１３６）。
【００３３】
方法１３０は、スキャン（例えば、読み出しまたはスクラブ）を開始するための信号（例えば、制御回路２４またはシステムコントローラ２８から）を受信することを含む（ブロック１３８）。方法１３０はまた、ＥＭＩ信号の周期の倍数であるスキャン時間（例えば、ＴＢＦまたは同期周期）の開始に遅延を追加することを含む（ブロック１４０）。例えば、５０Ｈｚ  ＥＭＩフィールドは、２０ｍｓの周期を有し、６０Ｈｚ  ＥＭＩフィールドは、１６．６６６ｍｓの周期を有する。ＴＢＦまたは同期周期は、２、３、４、５の倍数、またはＥＭＩ信号の周期の他の倍数であり得る。例えば、ＴＢＦまたは同期周期は、４０ｍｓ、６０ｍｓ、８０ｍｓ、１００ｍｓ、または５０Ｈｚ  ＥＭＩフィールドに関連付けられている別の周期であってもよい。ＴＢＦまたは同期周期は、３３．３３３ｍｓ、４９．９９９ｍｓ、６６．６６６ｍｓ、８３．３３３ｍｓ、または６０Ｈｚ  ＥＭＩフィールドに関連付けられている別の周期であってもよい。ある特定の実施形態では、スキャンは、同時に複数のＥＭＩ周波数（例えば、５０Ｈｚと６０Ｈｚの両方）に同期されてもよい。例えば、５０Ｈｚおよび６０ＨｚのフィールドをキャンセルするＴＢＦまたは同期周期は、１００ｍｓ周期などの両方の周波数の周期の倍数であり得る（これは、５０Ｈｚのフィールドの周期の５の倍数であり、６０Ｈｚのフィールドの６の倍数である）。方法１３０は、同期周期の後にスキャン（例えば、読み出し）を開始することをさらに含む（ブロック１４２）。
【００３４】
図８は、ＥＭＩ信号またはフィールドの周波数を決定するための方法１４４の一実施形態のフローチャートである（例えば、方法１３０のブロック１３２）。方法１４４は、デジタルＸ線検出器２２の制御／処理回路によって実施され得る。方法１４４は、オフセット画像データから低周波フィールドを抽出するために利用され得る画像分析技法の単一の例であることに留意されたい。加えて、方法１４４を利用して、存在する複数のＥＭＩ信号またはフィールドの周波数を決定することができる。方法１４４は、１つまたは複数のオフセットまたは暗画像（すなわち、放射線がない状態で収集された検出器データ）を取得することを含む（ブロック１４６）。方法１４４はまた、単一のオフセットスキャンまたは複数のオフセットスキャンの平均からすべてのスキャンライン（すなわち、行）について１つまたは複数のデータラインを（１つまたは複数の列から）抽出することを含む（ブロック１４８）。方法１４４は、抽出されたデータを表す信号に対してＦＦＴを実施し、異なる周波数で離散フーリエ変換（ＤＦＴ）を生成することをさらに含む（ブロック１５０）。方法１４４は、ＤＦＴの周波数が低周波数（ｆ１）と高周波数（ｆ２）との間にあるように、ＤＦＴの周波数をｆ１およびｆ２によって定義される低周波数範囲内に制限することを含む（ブロック１５２）。ある特定の実施形態では、低周波数範囲は、電力ラインの周波数（例えば、５０Ｈｚ、６０Ｈｚなど）によって定義されてもよい。低周波数範囲は、プラスまたはマイナスの電力ライン周波数の割合（例えば、±２パーセント、±３パーセントなど）であり得る。例えば、５０Ｈｚのプラスまたはマイナス３パーセントは、ｆ１を４８．５Ｈｚ、ｆ２を５１．５Ｈｚとして設定し、６０Ｈｚのプラスまたはマイナス３パーセントは、ｆ１を５８．２Ｈｚ、ｆ２を６１．８Ｈｚとして設定する。
【００３５】
ある特定の実施形態では、方法１４４は、ＤＦＴ周波数と比較するための閾値限界を定義することを含む（ブロック１５４）。ある特定の実施形態では、閾値限界は、実験的に決定され得る。方法１４４は、ＤＦＴ周波数を閾値限界と比較し（ブロック１５６）、ＤＦＴ周波数が閾値限界よりも大きいかどうかを決定することを含むことができる（ブロック１５８）。ＤＦＴ周波数が閾値限界よりも大きい場合、次に方法１４４は、ＤＦＴ周波数をＥＭＩ周波数として設定することを含む（ブロック１６０）。ＤＦＴ周波数が閾値限界よりも大きくない場合、次に方法１４４は、ＥＭＩ周波数をゼロまたはヌルとして設定し（ブロック１６２）、したがって、ＥＭＩフィールドがないと決定することを含む。
【００３６】
ある特定の実施形態では、ＤＦＴの周波数範囲を制限した後（ブロック１５２）、方法１４４は、ＤＦＴ周波数を１つまたは複数の特定のＥＭＩ周波数（例えば、５０Ｈｚ、６０Ｈｚなど）と比較し（ブロック１６４）、ＤＦＴ周波数が特定のＥＭＩ周波数の１つに等しいかどうかを決定することを含む（ブロック１６６）。ＤＦＴ周波数が特定のＥＭＩ周波数に等しい場合、方法１４４は、ＤＦＴ周波数をＥＭＩ周波数として設定することを含む（ブロック１６０）。ＤＦＴ周波数が特定のＥＭＩ周波数に等しくない場合、方法は、ＥＭＩ周波数をゼロまたはヌルとして設定し（ブロック１６２）、したがって、ＥＭＩフィールドがないと決定することを含む。
【００３７】
図９は、行相関ノイズに対するＥＭＩ信号への画像取得の同期の影響を示す概略図である。図９は、２つのグラフ１６８、１７０を図示する。各グラフ１６８、１７０は、マイクロ秒単位のＴＢＦを表すＸ軸１７２と、ノイズ振幅を表すＹ軸１７４とを含む。ＥＭＩ信号は、６０Ｈｚである。６０Ｈｚ  ＥＭＩ信号に応答する２つの異なる撮像モードの行相関ノイズ信号プロットは、それぞれプロット１７６（実線）、１７８（破線）によって表される。グラフ１６８は、スキャン（例えば、読み出しまたはスクラブ）がＥＭＩ信号の周期に同期していない場合のＴＢＦに対する行相関ノイズを示している。グラフ１６８に図示されているように、行相関ノイズは、ＴＢＦによって異なる。加えて、グラフ１６８に図示されているように、行相関ノイズの最小値は、周期的である。グラフ１７０は、スキャンをＥＭＩ信号の周期に同期させた後のＴＢＦに対する行相関ノイズを示している。グラフ１７０に図示されているように、行相関ノイズは、常に最小である。
【００３８】
開示された実施形態の技術的効果は、低周波ＥＭＩ（例えば、６０Ｈｚ以下）による時間依存ノイズ（例えば、行相関ノイズ）を最小化するために、放射線検出器のＸ線画像取得シーケンスを同期させる方法およびシステムを提供することを含む。以下で説明される技法は、ＥＭＩ信号の周期の倍数である特定の期間に行われるように検出器のスキャン（例えば、読み出しまたはスクラブ）を同期させることができる。ある特定の実施形態では、ＥＭＩ周波数は、オフセットデータまたは暗画像から決定され得る。オフセットデータを利用してＸ線画像データを補正し、時間依存ノイズのキャンセルによりＥＭＩアーチファクトが最小化された補正Ｘ線画像を生成することができる。ＥＭＩ軽減技法は、すべての配向（Ｘ、Ｙ、およびＺ軸）で利用されてもよい。開示された技法は、低周波ＥＭＩ耐性を提供するだけでなく、ＥＭＩフィールドの存在下で画質を改善することができる。
【００３９】
本明細書は、最良の形態を含む本主題を開示するため、また、いかなる当業者も本アプローチを実施することができるように実施例を用いており、任意のデバイスまたはシステムを製作し使用し、任意の組み込まれた方法を実施することを含んでいる。特許可能な範囲は、特許請求の範囲によって定義され、当業者が想到する他の実施例を含むことができる。そのような他の実施例は、特許請求の範囲の文言と異ならない構造要素を有する場合、または特許請求の範囲の文言と実質的な差のない等価の構造要素を含む場合、特許請求の範囲内にあることが意図されている。
［実施態様１］
電磁干渉（ＥＭＩ）信号のＥＭＩ周波数を得て、
スキャンを開始するための信号を受信し、
ＥＭＩノイズがオフセット画像および読み取り画像の取得中に同じ位相にあることを確認して前記ＥＭＩノイズの減算を可能にし、
前記スキャンを開始する
ように構成された制御回路（３６）
を備える、デジタルＸ線検出器（２２）。
［実施態様２］
前記スキャンは、検出器回路をリセットするためのスクラブ（９２、９５）、またはＸ線画像データを取得するための読み取り（９４、９８）を含む、実施態様１に記載のデジタルＸ線検出器（２２）。
［実施態様３］
前記制御回路（３６）は、前記スキャンの開始時間が前記ＥＭＩ信号の周期の倍数になるように前記ＥＭＩ周波数に基づいて前記スキャンを同期させることによって、前記ＥＭＩノイズが前記オフセット画像および前記読み取り画像の取得中に前記同じ位相にあることを確認するように構成される、実施態様１に記載のデジタルＸ線検出器（２２）。
［実施態様４］
前記制御回路（３６）は、前記ＥＭＩ周波数のユーザ入力を受信することを介して前記ＥＭＩ周波数を得るように構成される、実施態様１に記載のデジタルＸ線検出器（２２）。
［実施態様５］
前記制御回路（３６）は、前記デジタルＸ線検出器（２２）によって取得された１つまたは複数のオフセットスキャンから前記ＥＭＩ周波数を計算することによって前記ＥＭＩ周波数を得るように構成される、実施態様１に記載のデジタルＸ線検出器（２２）。
［実施態様６］
前記制御回路（３６）は、前記１つまたは複数のオフセットスキャンからデータを抽出することによって前記ＥＭＩ周波数を計算し、前記データを表す信号に対して高速フーリエ変換を実施し、所定の周波数範囲内の前記信号の離散フーリエ変換（ＤＦＴ）の周波数が定義された周波数閾値よりも大きいかどうかを決定するように構成される、実施態様５に記載のデジタルＸ線検出器（２２）。
［実施態様７］
前記制御回路（３６）は、前記ＤＦＴの前記周波数が前記定義された周波数閾値よりも大きいときに前記ＥＭＩ周波数を前記ＤＦＴの前記周波数として設定し、前記ＤＦＴの前記周波数が前記定義された周波数閾値よりも大きくないときに前記ＥＭＩ周波数をゼロとして設定するように構成される、実施態様６に記載のデジタルＸ線検出器（２２）。
［実施態様８］
前記制御回路（３６）は、前記１つまたは複数のオフセットスキャンからデータを抽出することによって前記ＥＭＩ周波数を計算し、前記データを表す信号に対して高速フーリエ変換を実施し、前記信号の前記離散フーリエ変換（ＤＦＴ）の周波数が特定のＥＭＩ周波数に等しいかどうかを決定するように構成される、実施態様５に記載のデジタルＸ線検出器（２２）。
［実施態様９］
前記制御回路（３６）は、前記ＤＦＴの前記周波数が前記特定のＥＭＩ周波数に等しいときに前記ＥＭＩ周波数を前記ＤＦＴの前記周波数として設定し、前記ＤＦＴの前記周波数が前記特定のＥＭＩ周波数に等しくないときに前記ＥＭＩ周波数をゼロとして設定するように構成される、実施態様８に記載のデジタルＸ線検出器（２２）。
［実施態様１０］
前記制御回路（３６）は、複数のＥＭＩ信号のそれぞれのＥＭＩ周波数を得て、前記スキャンの開始時間が前記複数のＥＭＩ信号の各それぞれの周期の倍数になるように前記それぞれのＥＭＩ周波数に基づいて前記スキャンを同期させるように構成される、実施態様１に記載のデジタルＸ線検出器（２２）。
［実施態様１１］
デジタルＸ線検出器（２２）を利用して、
電磁干渉（ＥＭＩ）信号のＥＭＩ周波数を得て（１３４）、
スキャンを開始するための信号を受信し（１３８）、
ＥＭＩノイズがオフセット画像および読み取り画像の取得中に同じ位相にあることを確認して前記ＥＭＩノイズの減算を可能にし、
前記スキャンを開始する（１４２）
ことを含む、Ｘ線撮像方法（１１８、１３０、１４４）。
［実施態様１２］
前記スキャンは、検出器回路をリセットするためのスクラブ（９２、９５）、またはＸ線画像データを取得するための読み取り（９４、９８）を含む、実施態様１１に記載の方法（１１８、１３０、１４４）。
［実施態様１３］
前記ＥＭＩノイズが前記オフセット画像および前記読み取り画像の取得中に前記同じ位相にあることを確認することは、前記スキャンの開始時間が前記ＥＭＩ信号の周期の倍数になるように前記ＥＭＩ周波数に基づいて前記スキャンを同期させること（１２２）を含む、実施態様１１に記載の方法（１１８、１３０、１４４）。
［実施態様１４］
前記ＥＭＩ信号の前記ＥＭＩ周波数を得ることは、前記ＥＭＩ周波数のユーザ入力を受信すること（１３６）を含む、実施態様１１に記載の方法（１１８、１３０、１４４）。
［実施態様１５］
前記ＥＭＩ信号の前記ＥＭＩ周波数を得ることは、前記デジタルＸ線検出器（２２）によって取得された１つまたは複数のオフセットスキャンから前記ＥＭＩ周波数を計算すること（１３２）を含む、実施態様１１に記載の方法（１１８、１３０、１４４）。
［実施態様１６］
前記デジタルＸ線検出器（２２）を介して、前記スキャンでＸ線画像データを取得すること（１２６）と、
前記１つまたは複数のオフセットスキャンで前記取得されたＸ線画像データに対してオフセット補正を実施し、あらゆるＥＭＩ関連のアーチファクトを除去して補正Ｘ線画像を生成すること（１２８）と
を含む、実施態様１５に記載の方法（１１８、１３０、１４４）。
［実施態様１７］
Ｘ線源（１２）と、
デジタルＸ線検出器（２２）と、
前記デジタルＸ線検出器（２２）を介して、電磁干渉（ＥＭＩ）信号のＥＭＩ周波数を得て、スキャンを開始するための信号を受信し、ＥＭＩノイズがオフセット画像および読み取り画像の取得中に同じ位相にあることを確認して前記ＥＭＩノイズの減算を可能にし、前記スキャンを開始するように構成された制御回路（３６）と
を備える、撮像システム（１０）。
［実施態様１８］
前記制御回路（３６）は、前記デジタルＸ線検出器（２２）を介して、前記デジタルＸ線検出器（２２）によって取得された１つまたは複数のオフセットスキャンから前記ＥＭＩ周波数を計算することによって前記ＥＭＩ周波数を得るように構成される、実施態様１７に記載の撮像システム（１０）。
［実施態様１９］
前記撮像システム（１０）は、処理回路（６６）を備え、前記処理回路（６６）は、前記１つまたは複数のオフセットスキャンで取得されたＸ線画像データに対してオフセット補正を実施し、あらゆるＥＭＩ関連のアーチファクトを除去して補正Ｘ線画像を生成するように構成される、実施態様１７に記載の撮像システム（１０）。
［実施態様２０］
前記制御回路（３６）は、前記デジタルＸ線検出器（２２）を介して、複数のＥＭＩ信号のそれぞれのＥＭＩ周波数を得て、前記スキャンの開始時間が前記複数のＥＭＩ信号の各それぞれの周期の倍数になるように前記それぞれのＥＭＩ周波数に基づいて前記スキャンを同期させるように構成される、実施態様１７に記載の撮像システム（１０）。
【符号の説明】
【００４０】
１０  撮像システム
１２  Ｘ線放射線源
１４  コリメータ
１６  放射線の流れ
１８  患者
２０  放射線の一部
２２  デジタルＸ線検出器
２４  電源／制御回路
２６  検出器コントローラ
２８  システムコントローラ
３０  ディスプレイ／プリンタ
３２  オペレータワークステーション
３４  ＩＤＣ
３６  検出器制御回路
３８  電力源
４０  基準／調整器回路
４２  行バス
４４  列バス
４６  行ドライバ
４８  読み出し電子回路／列ドライバ
５０  検出器パネル
５２  セクション
５４  絵素／ピクセル
５６  行
５８  列
６０  画像マトリックス
６２  高さ
６４  幅
６６  データ処理回路
６８  列電極／データライン
７０  行電極／スキャンライン
７２  薄膜トランジスタ
７４  フォトダイオード
７６  プロセッサベースのシステム
７８  マイクロプロセッサ
８０  メモリ
８２  大容量記憶デバイス
８４  入力デバイス
８６  ディスプレイ
８８  プリンタ
９０  タイムライン
９２  スクラブ
９４  読み出し
９５  スクラブ
９６  Ｘ線源
９８  読み出し／Ｘ線画像スキャン
１００  合計時間
１０２  フレーム時間
１０４  スキャン
１０６  グラフ
１０８  Ｘ軸
１１０  Ｙ軸
１１２  信号
１１４  検出器信号
１１６  期間
１１８  方法
１１９  ブロック
１２０  ブロック
１２２  ブロック
１２４  ブロック
１２６  ブロック
１２８  ブロック
１３０  方法
１３２  ブロック
１３４  ブロック
１３６  ブロック
１３８  ブロック
１４０  ブロック
１４２  ブロック
１４４  方法
１４６  ブロック
１４８  ブロック
１５０  ブロック
１５２  ブロック
１５４  ブロック
１５６  ブロック
１５８  ブロック
１６０  ブロック
１６２  ブロック
１６４  ブロック
１６６  ブロック
１６８  グラフ
１７０  グラフ
１７２  Ｘ軸
１７４  Ｙ軸
１７６  プロット
１７８  プロット
【図１】
2020169979.tif 000003
【図２】
2020169979.tif 000004
【図３】
2020169979.tif 000005
【図４】
2020169979.tif 000006
【図５】
2020169979.tif 000007
【図６】
2020169979.tif 000008
【図７】
2020169979.tif 000009
【図８】
2020169979.tif 000010
【図９】
2020169979.tif 000011
【外国語明細書】
2020169979000001.pdf